(57)【特許請求の範囲】
【請求項１】
基地局から割り当てられたリソースを相手通信装置と共有する通信装置であって、
データを送信する送信部と、
データを受信する受信部と、を備え、
自局が前記相手通信装置から送信された前記相手通信装置のデータの受信に成功したか否かと、前記相手通信装置が自局から送信された自局のデータの受信に成功したか否かと、に応じて、次の送信タイミングで自局が前記基地局に送信するデータと、自局に割り当てられたリソースおよび前記相手通信装置に割り当てられたリソースのいずれを使って前記基地局に送信するかと、を決定する通信装置。
【請求項２】
自局のデータをＳ１データとＰ１データに分割すること、前記Ｓ１データを第１のリソースで前記相手通信装置および前記基地局に送信すること、および、前記相手通信装置から第２のリソースで送信されたＳ２データを受信すること、を行う、請求項１記載の通信装置であって、
前記Ｓ２データのチャネルデコード結果に応じて、受信成功ならＡＣＫシグナルを生成し、受信失敗ならＮＡＣＫシグナルを生成するＡＣＫ／ＮＡＣＫシグナル生成部と、
前記Ｓ２データのチャネルデコード結果が受信成功を示す場合に、前記Ｓ２データからＰ２データを生成するパリティビット生成部と、
前記ＡＣＫ／ＮＡＣＫシグナル生成部でＮＡＣＫシグナルが生成され、かつ、前記相手通信装置からＡＣＫシグナルを受信した場合に、前記Ｓ１データを前記第１のリソースで送信し、以後、１ブロックの送信データの協調中継が完了するまで前記第１のリソースで送信を行わないように制御する送信モード生成部と、を備える通信装置。
【請求項３】
自局のデータをＳ１データとＰ１データに分割すること、前記Ｓ１データを第１のリソースで前記相手通信装置および前記基地局に送信すること、および、前記相手通信装置から第２のリソースで送信されたＳ２データを受信すること、を行う、請求項１記載の通信装置であって、
前記Ｓ２データのチャネルデコード結果に応じて、受信成功ならＡＣＫシグナル及び前記Ｓ２データからＰ２データを生成し、受信失敗ならＮＡＣＫシグナルを生成するＡＣＫ／ＮＡＣＫシグナル生成部と、
前記ＡＣＫ／ＮＡＣＫシグナル生成部でＡＣＫシグナルが生成され、かつ、前記相手通信装置からＮＡＣＫシグナルを受信した場合に、前記Ｓ１データ及び前記Ｐ２データを前記第１のリソースで送信し、かつ、前記Ｐ１データを前記第２のリソースで送信するように制御する送信モード生成部と、を備える通信装置。
【請求項４】
自局のデータをＳ１データとＰ１データに分割すること、前記Ｓ１データを第１のリソースで前記相手通信装置および前記基地局に送信すること、および、前記相手通信装置から第２のリソースで送信されたＳ２データを受信すること、を行う、請求項１記載の通信装置であって、
前記Ｓ２データのチャネルデコード結果に応じて、受信成功ならＡＣＫシグナルを生成し、受信失敗ならＮＡＣＫシグナルを生成するＡＣＫ／ＮＡＣＫシグナル生成部と、
前記ＡＣＫ／ＮＡＣＫシグナル生成部でＮＡＣＫシグナルが生成され、かつ、前記相手通信装置からＮＡＣＫシグナルを受信した場合に、前記Ｓ１データを前記第１のリソースで送信し、その後、前記Ｐ１データを前記第２のリソースで送信するように制御する送信モード生成部と、を備える通信装置。
【請求項５】
少なくともＳ１データおよびＰ１データに分割されるとともに復号できる関係にあるデータを送信する第１の通信装置と、少なくともＳ２データおよびＰ２データに分割されるとともに復号できる関係にあるデータを送信する第２の通信装置とが協調中継を行う場合に、前記第１および第２の通信装置に第１および第２のリソースをそれぞれ割り当てる手段と、
前記第１のリソースで送信された前記Ｓ１データおよび前記Ｐ２データを受信する手段と、
前記第２のリソースで送信された前記Ｓ２データおよび前記Ｐ１データを受信する手段と、を備え、
前記Ｓ１データおよび前記Ｓ２データはシステマティックビットを含み、前記Ｐ１デー
タおよび前記Ｐ２データはパリティビットを含むデータである基地局。
【請求項６】
Ｓ１データおよびＰ１データを送信する第１の通信装置、Ｓ２データおよびＰ２データを送信する第２の通信装置、および基地局を含み、前記第１の通信装置および前記第２の通信装置は協調中継を行う通信システムであって、
前記基地局は、前記第１および第２の通信装置に第１および第２のリソースをそれぞれ割り当て、
前記第１の通信装置は、前記Ｓ１データを前記第１のリソースで前記第２の通信装置および前記基地局に送信すること、および、前記第２の通信装置から前記第２のリソースで送信された前記Ｓ２データを受信して生成した前記Ｐ２データを、前記第１のリソースで前記基地局に送信することを行い、
前記第２の通信装置が、前記第１の通信装置から前記第１のリソースで送信された前記Ｓ１データの受信に失敗した場合に、前記第１の通信装置が、前記Ｐ１データを前記第２のリソースで前記基地局に送信する、通信システム。
【請求項７】
Ｓ１データおよびＰ１データを送信する第１の通信装置、Ｓ２データおよびＰ２データを送信する第２の通信装置、および基地局を含み、前記第１の通信装置および前記第２の通信装置は協調中継を行う通信方法であって、
前記基地局が、前記第１および第２の通信装置に第１および第２のリソースをそれぞれ割り当てるステップと、
前記第１の通信装置が、前記Ｓ１データを前記第１のリソースで前記第２の通信装置および前記基地局に送信し、かつ、前記第２の通信装置から前記第２のリソースで送信された前記Ｓ２データを受信して生成した前記Ｐ２データを、前記第１のリソースで前記基地局に送信するステップと、
前記第２の通信装置が、前記第１の通信装置から前記第１のリソースで送信された前記Ｓ１データの受信に失敗した場合に、前記第１の通信装置が、前記Ｐ１データを前記第２のリソースで前記基地局に送信するステップと、を有する通信方法。
【請求項８】
自局のデータをＳ１データとＰ１データに分割すること、前記Ｓ１データを第１のリソースで相手通信装置へ送信すること、前記Ｐ１データを基地局へ送信すること、および、前記相手通信装置から第２のリソースで送信されたＳ２データを受信すること、を行う、請求項１記載の通信装置であって、
自局の前記Ｓ１データと、前記相手通信装置が前記基地局に初回に送信したデータとの自己相関演算を行い、相関が高い場合は、前記相手通信装置が前記Ｓ１データの受信に成功したと判断し、相関が低い場合は、前記相手通信装置が前記Ｓ１データの受信に失敗したと判断する相関演算部と、
前記相関演算部で、前記相手通信装置が前記Ｓ１データの受信に失敗したと判断され、かつ、自局は前記相手通信装置からの前記Ｓ２データの受信に成功した場合に、前記Ｓ２データおよび前記Ｓ１データを前記第１のリソースで基地局に送信し、かつ、前記Ｐ１データを前記第２のリソースで前記基地局に送信するように制御するリソース制御部と、を備える通信装置。
【請求項９】
自局のデータをＳ１データとＰ１データに分割すること、前記Ｓ１データを第１のリソースで相手通信装置へ送信すること、前記Ｐ１データを基地局へ送信すること、および、前記相手通信装置から第２のリソースで送信されたＳ２データを受信すること、を行う、請求項１記載の通信装置であって、
自局の前記Ｓ１データと、前記相手通信装置が前記基地局に初回に送信したデータとの自己相関演算を行い、相関が高い場合は、前記相手通信装置が前記Ｓ１データの受信に成功したと判断し、相関が低い場合は、前記相手通信装置が前記Ｓ１データの受信に失敗したと判断する相関演算部と、
前記相関演算部で、前記相手通信装置が前記Ｓ１データの受信に成功したと判断され、かつ、自局は前記相手通信装置からの前記Ｓ２データの受信に失敗した場合に、前記Ｐ１データを前記第１のリソースで基地局に送信し、以後、１ブロックの送信データの協調中継が完了するまで送信を行わないように制御するリソース制御部と、を備える通信装置。
【請求項１０】
自局のデータをＳ１データとＰ１データに分割すること、前記Ｓ１データを第１のリソースで相手通信装置へ送信すること、前記Ｐ１データを基地局へ送信すること、および、前記相手通信装置から第２のリソースで送信されたＳ２データを受信すること、を行う、請求項１記載の通信装置であって、
自局の前記Ｓ１データと、前記相手通信装置が前記基地局に初回に送信したデータとの自己相関演算を行い、相関が高い場合は、前記相手通信装置が前記Ｓ１データの受信に成功したと判断し、相関が低い場合は、前記相手通信装置が前記Ｓ１データの受信に失敗したと判断する相関演算部と、
前記相関演算部で、前記相手通信装置が前記Ｓ１データの受信に失敗したと判断され、かつ、自局も前記相手通信装置からの前記Ｓ２データの受信に失敗した場合に、前記Ｓ１データを前記第２のリソースで前記基地局に送信するように制御するリソース制御部と、を備える通信装置。
【請求項１１】
少なくともＳ１データおよびＰ１データに分割されるとともに復号できる関係にあるデータを送信する第１の通信装置と、少なくともＳ２データおよびＰ２データに分割されるとともに復号できる関係にあるデータを送信する第２の通信装置とが協調中継を行う場合に、前記第１および第２の通信装置に第１および第２のリソースをそれぞれ割り当てる手段と、
前記第１のリソースで送信された前記Ｓ１データおよび前記Ｓ２データを受信する手段と、
前記第２のリソースで送信された前記Ｐ１データおよび前記Ｐ２データを受信する手段と、
を備え、
前記Ｓ１データおよび前記Ｓ２データはシステマティックビットを含み、前記Ｐ１データおよび前記Ｐ２データはパリティビットを含むデータである基地局。
【請求項１２】
少なくともＳ１データおよびＰ１データに分割されるとともに復号できる関係にあるデータを送信する第１の通信装置と、少なくともＳ２データおよびＰ２データに分割されるとともに復号できる関係にあるデータを送信する第２の通信装置とが協調中継を行う場合に、前記第１および第２の通信装置に第１および第２のリソースをそれぞれ割り当てる手段と、
前記第１のリソースで送信された前記Ｐ１データおよび前記Ｐ２データを受信する手段と、
前記第２のリソースで送信された前記Ｓ１データおよび前記Ｓ２データを受信する手段と、
を備え、
前記Ｓ１データおよび前記Ｓ２データはシステマティックビットを含み、前記Ｐ１データおよび前記Ｐ２データはパリティビットを含むデータである基地局。
【請求項１３】
少なくともＳ１データおよびＰ１データに分割されるとともに復号できる関係にあるデータを送信する第１の通信装置と、少なくともＳ２データおよびＰ２データに分割されるとともに復号できる関係にあるデータを送信する第２の通信装置とが協調中継を行う場合に、前記第１および第２の通信装置に第１および第２のリソースをそれぞれ割り当てる手段と、
前記第１のリソースで送信された前記Ｐ１データおよび前記Ｓ２データを受信する手段と、
前記第２のリソースで送信された前記Ｓ１データおよび前記Ｐ２データを受信する手段と、
を備え、
前記Ｓ１データおよび前記Ｓ２データはシステマティックビットを含み、前記Ｐ１データおよび前記Ｐ２データはパリティビットを含むデータである基地局。
【請求項１４】
Ｓ１データおよびＰ１データを有する第１の通信装置、Ｓ２データおよびＰ２データを有する第２の通信装置、および、前記第１および第２の通信装置に第１および第２のリソースをそれぞれ割り当てる基地局を含み、前記第１の通信装置および前記第２の通信装置は協調中継を行う通信システムであって、
前記第２の通信装置が前記第１の通信装置から送信された前記Ｓ１データの受信に失敗し、かつ、前記第１の通信装置が前記第２の通信装置から送信された前記Ｓ２データの受信に成功した場合に、前記第１の通信装置が、前記Ｐ１データを前記第２のリソースで前記基地局に送信すること、および、前記Ｓ２データおよび前記Ｓ１データを前記第１のリソースで前記基地局に送信することを行う通信システム。
【請求項１５】
Ｓ１データおよびＰ１データを有する第１の通信装置、Ｓ２データおよびＰ２データを有する第２の通信装置、および、前記第１および第２の通信装置に第１および第２のリソースをそれぞれ割り当てる基地局を含み、前記第１の通信装置および前記第２の通信装置は協調中継を行う通信システムであって、
前記第１の通信装置が、前記第２の通信装置に前記Ｓ１データを送信し、
前記第２の通信装置が、前記第１の通信装置に前記Ｓ２データを送信し、
前記第２の通信装置が前記第１の通信装置から送信された前記Ｓ１データの受信に失敗し、かつ、前記第１の通信装置が前記第２の通信装置から送信された前記Ｓ２データの受信に成功した場合、前記第１の通信装置が、前記Ｐ１データを前記第２のリソースで前記基地局に送信し、かつ、前記Ｓ２データおよび前記Ｓ１データを前記第１のリソースで前記基地局に送信する通信システム。
【発明の詳細な説明】
【技術分野】
【０００１】
本発明は、協調中継（ｃｏｄｅｄ  ｃｏｏｐｅｒａｔｉｏｎ）を行う通信装置、基地局、通信システムおよび通信方法に関する。
【背景技術】
【０００２】
無線基地局装置（ｅＮＢ）と、リピータ機能を有する複数の端末（以降は、単に“リピータ”と呼ぶ）とで構成される無線通信システムにおいて、ｅＮＢにおける受信ダイバーシチ効果を得るために、各リピータが、送信したい情報を交換し、自端末だけでなく他のリピータが送信したい情報をもｅＮＢへ送信する中継方式であるＣｏｄｅｄ  Ｃｏｏｐｅｒａｔｉｏｎと呼ばれる協調中継が提案されている。以下、Ｃｏｄｅｄ  Ｃｏｏｐｅｒａｔｉｏｎのことを単に協調中継と呼ぶことにする。
【０００３】
図９に協調中継の動作例（成功例）を示す。図９中のＲｅｐｅａｔｅｒ１（以下、リピータ１と記載）の動作に着目して説明する。リピータ１は、データをシステマティックビットを含む初回送信データＳ１とパリティビットを含むパリティデータＰ１に２分割し、初回送信データＳ１をリピータ２に送信、初回送信データＳ２をＲｅｐｅａｔｅｒ２（以下、リピータ２と記載）から受信する。
【０００４】
リピータ１は、受信した初回送信データＳ２からパリティデータＰ２を生成する。その後、まず、リピータ１は自局の初回送信データＳ１をｅＮＢへ送信し、続いて、生成したパリティデータＰ２をｅＮＢへ送信する。
【０００５】
同様に、リピータ２の動作を説明する。リピータ２は、データをシステマティックビットを含む初回送信データＳ２とパリティデータＰ２に２分割し、初回送信データＳ２をリピータ１に送信、初回送信データＳ１をリピータ１から受信する。
【０００６】
リピータ２は、受信した初回送信データＳ１からパリティデータＰ１を生成する。その後、まず、リピータ２は自局の初回送信データＳ２をｅＮＢへ送信し、続いて、生成したパリティデータＰ１をｅＮＢへ送信する。
【０００７】
このようにすることで、ｅＮＢにおいて各リピータの２分割されたデータが、それぞれ異なるパスを通って受信される（協調中継される）ので、パスダイバーシチ効果を得ることができる。更には、一方のパスが長周期のフェージング（ｓｌｏｗ  ｆａｄｉｎｇ）で長い時間レベルが落ち込んでいるような場合に受信不能となるような状況を避けることができる。
【０００８】
しかし、図１０の協調中継の動作例（失敗例）に示すように、リピータ間でのデータ交換に一方あるいは両方のリピータが失敗（ＣＲＣ  ＮＧ等）した場合には、自局の初回送信データを送信した後に送るデータが無くなってしまう、という課題があった。
【０００９】
リピータ間でのデータ交換が失敗した場合に関する単純な対処方法として下記の２つがある。
（１）自パリティデータを送信する（例えば、特許文献１参照）。
（２）ＡＣＫ，ＮＡＣＫを導入する。
【００１０】
【特許文献１】米国特許出願公開第２００３／０１４８７３２号明細書
【発明の概要】
【発明が解決しようとする課題】
【００１１】
（１）自パリティデータを送信する場合
データ交換に失敗（受信データがＣＲＣ  ＮＧ等）したリピータは、自初回送信データの送信後、自パリティデータを送信する。
【００１２】
図１１を例に動作説明する。はじめに、各リピータは互いの初回送信データを交換する。ここで、リピータ１がＳ２の受信を失敗し、リピータ２がＳ１の受信に成功した場合、まず、各リピータは自初回送信データをｅＮＢへ送信する。続いて、リピータ１は自パリティデータＰ１を、リピータ２は相手パリティデータＰ１をｅＮＢへ送信する。
【００１３】
このようにすることで、リピータ間でのデータ交換が失敗した場合でも、送信すべきデータが確定される。しかし、一方のリピータがデータ交換に失敗した場合に、ｅＮＢにおける受信データに偏りが発生してしまう。図１１の例では、ｅＮＢにおいて、リピータ１のデータが多く受信されるという不公平性が発生している。
【００１４】
なお、データ交換の成否によって下記の４ケースが考えられる。各々の処理フローを図１２に示す。Ｃａｓｅ１は、リピータ１、リピータ２ともに受信成功、Ｃａｓｅ２は、リピータ１は受信成功、リピータ２は受信失敗、Ｃａｓｅ３は、リピータ１は受信失敗、リピータ２は受信成功、Ｃａｓｅ４は、リピータ１、リピータ２ともに受信失敗の場合を示す。
【００１５】
（２）ＡＣＫ／ＮＡＣＫを導入する場合
データ交換の成否を知らせるＡＣＫ／ＮＡＣＫシグナルを導入する。ＮＡＣＫを送信したリピータは、自初回送信データを送信した後、自パリティデータを送信する。同様に、ＮＡＣＫを受信したリピータは、自初回送信データを送信した後、自パリティデータを送信する。
【００１６】
図１３を例に動作を説明する。はじめに、各リピータは互いの初回送信データを交換する。ここで、リピータ１がＳ２の受信を失敗し、リピータ２がＳ１の受信に成功した場合、リピータ１はリピータ２へＮＡＣＫを、リピータ２はリピータ１へＡＣＫを送信する。各リピータは、まず、自初回送信データをｅＮＢへ送信し、続いて、自パリティデータをｅＮＢへ送信する。
【００１７】
このようにすることで、リピータ間でのデータ交換が失敗した場合でも、送信すべきデータが確定され、一方のリピータがデータ交換に失敗した場合でも、ｅＮＢにおける受信データの偏りが解消される。しかし、この場合、両方のリピータともに協調中継が実現できなくなってしまう、という課題があった。
【００１８】
以上のように、従来技術においては、リピータ間でのデータ交換が失敗した場合を考慮してもなお、一方のデータ交換が失敗した場合に、ｅＮＢにおける受信データに偏りが発生してしまう、協調中継によるダイバーシチ効果が得られない等の課題があった。
【００１９】
本発明の目的は、上記従来の事情に鑑みてなされたものであって、一方のデータ交換が失敗した場合でも、ｅＮＢにおける受信データに偏りが発生することなく、協調中継によるダイバーシチ効果を得ることができる通信装置、基地局、通信システムおよび通信方法を提供することである。
【課題を解決するための手段】
【００２０】
本発明のポイントは、協調中継を行うリピータ間でリソースを共有し、リピータ間でのデータ交換に失敗したリピータは、最初のデータを送信した後に、自リソースを相手リピータに開放する（自分は使用せず、相手が使用できるようにする）ことである。これによれば、ｅＮＢにおいて、受信データの偏りなく、協調中継によるダイバーシチ効果を得ることができる。
【００２１】
具体的には、
（１）ｅＮＢは協調中継を行うリピータにリソース割り当て指示を行う。この際に、割り当てるリソースは各リピータ間で共有可能とする。
（２）リピータ間でお互いのデータを交換しあう。
（３）各リピータは、データ交換の結果に応じたデータをｅＮＢへ送信し、データ交換を失敗したリピータは、次のタイミングで自リソースを相手リピータに開放する。
【００２２】
すなわち、本発明は、基地局から割り当てられたリソースを相手通信装置と共有する通信装置であって、データを送信する送信部と、データを受信する受信部と、を備え、自局が前記相手通信装置から送信された前記相手通信装置のデータの受信に成功したか否かと、前記相手通信装置が自局から送信された自局のデータの受信に成功したか否かと、に応じて、次の送信タイミングで自局が前記基地局に送信するデータと、自局に割り当てられたリソースおよび前記相手通信装置に割り当てられたリソースのいずれを使って前記基地局に送信するかと、を決定する通信装置を提供する。
【００２３】
上記構成によれば、自局と相手通信装置とで互いのデータを交換して協調中継する場合において、データ交換の成否に応じて、送信データおよび送信に用いるリソースを決定することにより、一方の通信装置がデータ交換に失敗した場合であっても、基地局において、受信データの偏りなく、協調中継によるダイバーシチ効果を得ることができる。
【００２４】
また、本発明は、自局のデータをＳ１データとＰ１データに分割すること、前記Ｓ１データを第１のリソースで前記相手通信装置および前記基地局に送信すること、および、前記相手通信装置から第２のリソースで送信されたＳ２データを受信すること、を行う、上記通信装置であって、前記Ｓ２データのチャネルデコード結果に応じて、受信成功ならＡＣＫシグナルを生成し、受信失敗ならＮＡＣＫシグナルを生成するＡＣＫ／ＮＡＣＫシグナル生成部と、前記ＡＣＫ／ＮＡＣＫシグナル生成部でＮＡＣＫシグナルが生成され、かつ、前記相手通信装置からＡＣＫシグナルを受信した場合に、前記Ｓ１データを前記第１のリソースで送信し、以後、１ブロックの送信データの協調中継が完了するまで前記第１のリソースで送信を行わないように制御する送信モード生成部と、を備える通信装置を提供する。
【００２５】
上記構成によれば、自局がＳ２データの受信に失敗した場合に、相手通信装置がＰ２データを第１のリソースで基地局に送信するので、一方のデータ交換が失敗した場合でも、基地局における受信データに偏りが発生することなく、協調中継によるダイバーシチ効果を得ることができる。ここで、Ｓ１データとＰ１データまたはＳ２データとＰ２データとの関係は、例えば、システマティックビットとパリティビットなど、両者が揃うことにより復号できる関係であればよい。
【００２６】
また、本発明は、自局のデータをＳ１データとＰ１データに分割すること、前記Ｓ１データを第１のリソースで前記相手通信装置および前記基地局に送信すること、および、前記相手通信装置から第２のリソースで送信されたＳ２データを受信すること、を行う、上記通信装置であって、前記Ｓ２データのチャネルデコード結果に応じて、受信成功ならＡＣＫシグナル及び前記Ｓ２データからＰ２データを生成し、受信失敗ならＮＡＣＫシグナルを生成するＡＣＫ／ＮＡＣＫシグナル生成部と、前記ＡＣＫ／ＮＡＣＫシグナル生成部でＡＣＫシグナルが生成され、かつ、前記相手通信装置からＮＡＣＫシグナルを受信した場合に、前記Ｓ１データ及び前記Ｐ２データを前記第１のリソースで送信し、かつ、前記Ｐ１データを前記第２のリソースで送信するように制御する送信モード生成部と、を備える通信装置を提供する。
【００２７】
また、本発明は、自局のデータをＳ１データとＰ１データに分割すること、前記Ｓ１データを第１のリソースで前記相手通信装置および前記基地局に送信すること、および、前記相手通信装置から第２のリソースで送信されたＳ２データを受信すること、を行う、上記通信装置であって、前記Ｓ２データのチャネルデコード結果に応じて、受信成功ならＡＣＫシグナルを生成し、受信失敗ならＮＡＣＫシグナルを生成するＡＣＫ／ＮＡＣＫシグナル生成部と、前記ＡＣＫ／ＮＡＣＫシグナル生成部でＮＡＣＫシグナルが生成され、かつ、前記相手通信装置からＮＡＣＫシグナルを受信した場合に、前記Ｓ１データを前記第１のリソースで送信し、その後、前記Ｐ１データを前記第２のリソースで送信するように制御する送信モード生成部と、を備える通信装置を提供する。
【００２８】
また、本発明は、少なくともＳ１データおよびＰ１データに分割されるとともに復号できる関係にあるデータを送信する第１の通信装置と、少なくともＳ２データおよびＰ２データに分割されるとともに復号できる関係にあるデータを送信する第２の通信装置とが協調中継を行う場合に、前記第１および第２の通信装置に第１および第２のリソースをそれぞれ割り当てる手段と、前記第１のリソースで送信された前記Ｓ１データおよび前記Ｐ２データを受信する手段と、前記第２のリソースで送信された前記Ｓ２データおよび前記Ｐ１データを受信する手段と、を備える基地局を提供する。
また、本発明は、前記Ｓ１データおよび前記Ｓ２データはシステマティックビットを含み、前記Ｐ１データおよび前記Ｐ２データはパリティビットを含むデータである基地局を提供する。
【００２９】
また、本発明は、Ｓ１データおよびＰ１データを送信する第１の通信装置、Ｓ２データおよびＰ２データを送信する第２の通信装置、および基地局を含み、前記第１の通信装置および前記第２の通信装置は協調中継を行う通信システムであって、前記基地局は、前記第１および第２の通信装置に第１および第２のリソースをそれぞれ割り当て、前記第１の通信装置は、前記Ｓ１データを前記第１のリソースで前記第２の通信装置および前記基地局に送信すること、および、前記第２の通信装置から前記第２のリソースで送信された前記Ｓ２データを受信して生成した前記Ｐ２データを、前記第１のリソースで前記基地局に送信することを行い、前記第２の通信装置が、前記第１の通信装置から前記第１のリソースで送信された前記Ｓ１データの受信に失敗した場合に、前記第１の通信装置が、前記Ｐ１データを前記第２のリソースで前記基地局に送信する、通信システムを提供する。
【００３０】
また、本発明は、Ｓ１データおよびＰ１データを送信する第１の通信装置、Ｓ２データおよびＰ２データを送信する第２の通信装置、および基地局を含み、前記第１の通信装置および前記第２の通信装置は協調中継を行う通信方法であって、前記基地局が、前記第１および第２の通信装置に第１および第２のリソースをそれぞれ割り当てるステップと、前記第１の通信装置が、前記Ｓ１データを前記第１のリソースで前記第２の通信装置および前記基地局に送信し、かつ、前記第２の通信装置から前記第２のリソースで送信された前記Ｓ２データを受信して生成した前記Ｐ２データを、前記第１のリソースで前記基地局に送信するステップと、前記第２の通信装置が、前記第１の通信装置から前記第１のリソースで送信された前記Ｓ１データの受信に失敗した場合に、前記第１の通信装置が、前記Ｐ１データを前記第２のリソースで前記基地局に送信するステップと、を有する通信方法を提供する。
【００３１】
また、本発明は、自局のデータをＳ１データとＰ１データに分割すること、前記Ｓ１データを第１のリソースで相手通信装置へ送信すること、前記Ｐ１データを基地局へ送信すること、および、前記相手通信装置から第２のリソースで送信されたＳ２データを受信すること、を行う、上記通信装置であって、自局の前記Ｓ１データと、前記相手通信装置が前記基地局に初回に送信したデータとの自己相関演算を行い、相関が高い場合は、前記相手通信装置が前記Ｓ１データの受信に成功したと判断し、相関が低い場合は、前記相手通信装置が前記Ｓ１データの受信に失敗したと判断する相関演算部と、前記相関演算部で、前記相手通信装置が前記Ｓ１データの受信に失敗したと判断され、かつ、自局は前記相手通信装置からの前記Ｓ２データの受信に成功した場合に、前記Ｓ２データおよび前記Ｓ１データを前記第１のリソースで基地局に送信し、かつ、前記Ｐ１データを前記第２のリソースで前記基地局に送信するように制御するリソース制御部と、を備える通信装置を提供する。
【００３２】
上記構成によれば、自局がＳ２データの受信に成功し、相手通信装置がＳ１データの受信に失敗した場合に、Ｐ１データを第２のリソースで基地局に送信するように制御するので、基地局における受信データの偏りがなく、協調中継によるダイバーシチ効果を得ることができるとともに、ＡＣＫ／ＮＡＣＫシグナリングを削減することができる。
【００３３】
また、本発明は、自局のデータをＳ１データとＰ１データに分割すること、前記Ｓ１データを第１のリソースで相手通信装置へ送信すること、前記Ｐ１データを基地局へ送信すること、および、前記相手通信装置から第２のリソースで送信されたＳ２データを受信すること、を行う、上記通信装置であって、自局の前記Ｓ１データと、前記相手通信装置が前記基地局に初回に送信したデータとの自己相関演算を行い、相関が高い場合は、前記相手通信装置が前記Ｓ１データの受信に成功したと判断し、相関が低い場合は、前記相手通信装置が前記Ｓ１データの受信に失敗したと判断する相関演算部と、前記相関演算部で、前記相手通信装置が前記Ｓ１データの受信に成功したと判断され、かつ、自局は前記相手通信装置からの前記Ｓ２データの受信に失敗した場合に、前記Ｐ１データを前記第１のリソースで基地局に送信し、以後、１ブロックの送信データの協調中継が完了するまで送信を行わないように制御するリソース制御部と、を備える通信装置を提供する。
【００３４】
また、本発明は、自局のデータをＳ１データとＰ１データに分割すること、前記Ｓ１データを第１のリソースで相手通信装置へ送信すること、前記Ｐ１データを基地局へ送信すること、および、前記相手通信装置から第２のリソースで送信されたＳ２データを受信すること、を行う、上記通信装置であって、自局の前記Ｓ１データと、前記相手通信装置が前記基地局に初回に送信したデータとの自己相関演算を行い、相関が高い場合は、前記相手通信装置が前記Ｓ１データの受信に成功したと判断し、相関が低い場合は、前記相手通信装置が前記Ｓ１データの受信に失敗したと判断する相関演算部と、前記相関演算部で、前記相手通信装置が前記Ｓ１データの受信に失敗したと判断され、かつ、自局も前記相手通信装置からの前記Ｓ２データの受信に失敗した場合に、前記Ｓ１データを前記第２のリソースで前記基地局に送信するように制御するリソース制御部と、を備える通信装置を提供する。
【００３５】
また、本発明は、少なくともＳ１データおよびＰ１データに分割されるとともに復号できる関係にあるデータを送信する第１の通信装置と、少なくともＳ２データおよびＰ２データに分割されるとともに復号できる関係にあるデータを送信する第２の通信装置とが協調中継を行う場合に、前記第１および第２の通信装置に第１および第２のリソースをそれぞれ割り当てる手段と、前記第１のリソースで送信された前記Ｓ１データおよび前記Ｓ２データを受信する手段と、前記第２のリソースで送信された前記Ｐ１データおよび前記Ｐ２データを受信する手段と、を備え、前記Ｓ１データおよび前記Ｓ２データはシステマティックビットを含み、前記Ｐ１データおよび前記Ｐ２データはパリティビットを含むデータである基地局を提供する。
【００３６】
また、本発明は、少なくともＳ１データおよびＰ１データに分割されるとともに復号できる関係にあるデータを送信する第１の通信装置と、少なくともＳ２データおよびＰ２データに分割されるとともに復号できる関係にあるデータを送信する第２の通信装置とが協調中継を行う場合に、前記第１および第２の通信装置に第１および第２のリソースをそれぞれ割り当てる手段と、前記第１のリソースで送信された前記Ｐ１データおよび前記Ｐ２データを受信する手段と、前記第２のリソースで送信された前記Ｓ１データおよび前記Ｓ２データを受信する手段と、を備え、前記Ｓ１データおよび前記Ｓ２データはシステマティックビットを含み、前記Ｐ１データおよび前記Ｐ２データはパリティビットを含むデータである基地局を提供する。
【００３７】
また、本発明は、少なくともＳ１データおよびＰ１データに分割されるとともに復号できる関係にあるデータを送信する第１の通信装置と、少なくともＳ２データおよびＰ２データに分割されるとともに復号できる関係にあるデータを送信する第２の通信装置とが協調中継を行う場合に、前記第１および第２の通信装置に第１および第２のリソースをそれぞれ割り当てる手段と、前記第１のリソースで送信された前記Ｐ１データおよび前記Ｓ２データを受信する手段と、前記第２のリソースで送信された前記Ｓ１データおよび前記Ｐ２データを受信する手段と、を備え、前記Ｓ１データおよび前記Ｓ２データはシステマティックビットを含み、前記Ｐ１データおよび前記Ｐ２データはパリティビットを含むデータである基地局を提供する。
【００３８】
また、本発明は、Ｓ１データおよびＰ１データを有する第１の通信装置、Ｓ２データおよびＰ２データを有する第２の通信装置、および、前記第１および第２の通信装置に第１および第２のリソースをそれぞれ割り当てる基地局を含み、前記第１の通信装置および前記第２の通信装置は協調中継を行う通信システムであって、前記第２の通信装置が前記第１の通信装置から送信された前記Ｓ１データの受信に失敗し、かつ、前記第１の通信装置が前記第２の通信装置から送信された前記Ｓ２データの受信に成功した場合に、前記第１の通信装置が、前記Ｐ１データを前記第２のリソースで前記基地局に送信すること、および、前記Ｓ２データおよび前記Ｓ１データを前記第１のリソースで前記基地局に送信することを行う通信システムを提供する。
【００３９】
さらに、本発明は、Ｓ１データおよびＰ１データを有する第１の通信装置、Ｓ２データおよびＰ２データを有する第２の通信装置、および、前記第１および第２の通信装置に第１および第２のリソースをそれぞれ割り当てる基地局を含み、前記第１の通信装置および前記第２の通信装置は協調中継を行う通信システムであって、前記第１の通信装置が、前記第２の通信装置に前記Ｓ１データを送信し、前記第２の通信装置が、前記第１の通信装置に前記Ｓ２データを送信し、前記第２の通信装置が前記第１の通信装置から送信された前記Ｓ１データの受信に失敗し、かつ、前記第１の通信装置が前記第２の通信装置から送信された前記Ｓ２データの受信に成功した場合、前記第１の通信装置が、前記Ｐ１データを前記第２のリソースで前記基地局に送信し、かつ、前記Ｓ２データおよび前記Ｓ１データを前記第１のリソースで前記基地局に送信する通信システムを提供する。
【発明の効果】
【００４０】
本発明に係る通信装置、基地局、通信システムおよび通信方法によれば、一方のデータ交換が失敗した場合でも、基地局における受信データに偏りが発生することなく、協調中継によるダイバーシチ効果を得ることができる。
【図面の簡単な説明】
【００４１】
【図１】本発明の実施例１にかかる通信方法のシーケンス図
【図２】本発明の実施例１にかかる通信方法のフローチャート
【図３】本発明の実施例１にかかるリピータのブロック図
【図４】本発明の実施例１および実施例２にかかる基地局のブロック図
【図５】本発明の実施例２にかかる通信方法のシーケンス図
【図６】本発明の実施例２にかかる通信方法のフローチャート
【図７】本発明の実施例２にかかるリピータのブロック図
【図８】本発明の実施例３にかかるｅＮＢ受信データメモリ例を示す図
【図９】従来の通信方法においてＣｏｄｅｄ  Ｃｏｏｐｅｒａｔｉｏｎの動作例（成功例）を示す図
【図１０】従来の通信方法においてＣｏｄｅｄ  Ｃｏｏｐｅｒａｔｉｏｎの動作例（失敗例）を示す図
【図１１】従来の通信方法においてデータ交換に失敗したリピータが、自パリティビットを送信する場合の動作例を示す図
【図１２】従来の通信方法においてデータ交換に失敗したリピータが、自パリティビットを送信する場合の処理フロー図
【図１３】従来の通信方法においてデータ交換の成否を知らせるＡＣＫ／ＮＡＣＫシグナルを導入した場合の動作例を示す図
【発明を実施するための形態】
【００４２】
以下、本発明の実施形態について、図面を参照して説明する。
【００４３】
《実施例１》
図１に、実施例１のシーケンス図を示し、図２に、図１に対応する実施例１のフローチャートを示す。
【００４４】
なお、図１のシーケンス図において、矢印はデータの送信方向を表わし、Ｒ１Ｒ１はリピータ１のリソースでリピータ１のデータを送信する場合を示し、Ｒ１Ｒ２はリピータ１のリソースでリピータ２のデータを送信する場合を示し、Ｒ２Ｒ２はリピータ２のリソースでリピータ２のデータを送信する場合を示し、Ｒ２Ｒ１はリピータ２のリソースでリピータ１のデータを送信する場合を示す。また、図１に示す、括弧付き数字（１）、（３）〜（１０）は、それぞれ、以下に説明する手順１、手順３〜１０に対応する。手順２は図示しない。図１中のＲｅｐ１，Ｒｅｐ２は、それぞれリピータ１、リピータ２を示す。
【００４５】
《実施例−前段−》
手順１：ｅＮＢは、協調中継を行うリピータ（リピータ１、リピータ２）に対し、リソース割り当てを行う。このリソースは、協調中継を行う各リピータ間で共有可能とする。
手順２：各リピータは、協調中継したい自局のデータを２分割する。本実施例では、システマティックビットを含む初回送信データ（Ｓｘと表記）とパリティビットを含む送信データ（Ｐｘと表記）に２分割した場合を説明する（ｘはリピータ番号に対応）。
手順３：リピータ１は、自局の初回送信データＳ１（Ｄａｔａ１）を自リソースでリピータ２へ送信する。
手順４：リピータ２は、自局の初回送信データＳ２（Ｄａｔａ２）を自リソースでリピータ１へ送信する。
【００４６】
《実施例−メイン−》
（Ｃａｓｅ１：リピータ１、リピータ２ともに受信成功）
手順５：リピータ２は、リピータ１へＡＣＫシグナルを送信し、受信したＳ１からパリティビットＰ１を生成する。
手順６：リピータ１は、リピータ２へＡＣＫシグナルを送信し、受信したＳ２からパリティビットＰ２を生成する。
手順７：リピータ２は、リピータ１からのＡＣＫを受信した後、Ｓ２を自リソースでｅＮＢへ送信する。
手順８：リピータ１は、リピータ２からのＡＣＫを受信した後、Ｓ１を自リソースでｅＮＢへ送信する。
続いて、
手順９：リピータ２は、生成したＰ１を自リソースでｅＮＢへ送信する。
手順１０：リピータ１は、生成したＰ２を自リソースでｅＮＢへ送信する。
【００４７】
（Ｃａｓｅ２：リピータ１は受信成功、リピータ２は受信失敗）
手順５：リピータ２は、リピータ１へＮＡＣＫシグナルを送信する。
手順６：リピータ１は、リピータ２へＡＣＫシグナルを送信し、受信したＳ２からパリティビットＰ２を生成する。
手順７：ＮＡＣＫを送信したリピータ２は、リピータ１からのＡＣＫを受信した後、Ｓ２を自リソースでｅＮＢへ送信する。以後、リピータ２は、自リソースをリピータ１に開放、すなわち、自リソースをリピータ２は使用しないでリピータ１が使用できるものとする。
手順８：リピータ１は、リピータ２からのＮＡＣＫを受信した後、Ｓ１を自リソースでｅＮＢへ送信する。
続いて、
手順９：ＮＡＣＫを受信したリピータ１は、リピータ２のリソースが使用可能であると判断し、リピータ２のリソースを使ってＰ１をｅＮＢへ送信する。
手順１０：さらに、リピータ１は、自リソースを使って、先に生成したＰ２をｅＮＢへ送信する。
【００４８】
（Ｃａｓｅ３：リピータ１は受信失敗、リピータ２は受信成功）
手順５：リピータ２はリピータ１へＡＣＫシグナルを送信し、受信したＳ１からパリティビットＰ１を生成する。
手順６：リピータ１は、リピータ２へＮＡＣＫシグナルを送信する。
手順７：リピータ２は、リピータ１からのＮＡＣＫを受信した後、Ｓ２を自リソースでｅＮＢへ送信する。
手順８：ＮＡＣＫを送信したリピータ１は、リピータ２からのＡＣＫを受信した後、Ｓ１を自リソースでｅＮＢへ送信する。以後、自リソースをリピータ２に開放する。
続いて、
手順９：ＮＡＣＫを受信したリピータ２は、リピータ１のリソースが使用可能であると判断し、リピータ１のリソースを使ってＰ２をｅＮＢへ送信する。
手順１０：さらに、リピータ２は、自リソースを使って、先に生成したＰ１をｅＮＢへ送信する。
【００４９】
（Ｃａｓｅ４：リピータ１、リピータ２ともに受信失敗）
手順５：リピータ２は、リピータ１へＮＡＣＫシグナルを送信する。
手順６：リピータ１は、リピータ２へＮＡＣＫシグナルを送信する。
手順７：ＮＡＣＫを送信したリピータ２は、リピータ１からのＮＡＣＫを受信した後、Ｓ２を自リソースでｅＮＢへ送信する。以後、自リソースをリピータ１に開放する。
手順８：ＮＡＣＫを送信したリピータ１は、リピータ２からのＮＡＣＫを受信した後、Ｓ１を自リソースでｅＮＢへ送信する。以後、自リソースをリピータ２に開放する。
続いて、
手順９：ＮＡＣＫを受信したリピータ２は、リピータ１のリソースが使用可能であると判断し、リピータ１のリソースを使ってＰ２をｅＮＢへ送信する。
手順１０：同様に、ＮＡＣＫを受信したリピータ１は、リピータ２のリソースが使用可能であると判断し、リピータ２のリソースを使ってＰ１をｅＮＢへ送信する。
【００５０】
《実施例−後段−》
手順１１：ｅＮＢは、受信データを復号する。
【００５１】
《実施例の効果》
以上の手順によれば、データ交換の際に、リピータの一方が受信失敗してしまった場合でも、ｅＮＢにおいて、受信データの偏りなく、協調中継によるダイバーシチ効果を得ることが出来る。
【００５２】
なお、上記説明では、送信データの受信に成功したリピータは、Ｃａｓｅ１〜３の手順５または６において、ＡＣＫシグナルの送信後にパリティビットＰ１またはＰ２を生成する例を示したが、パリティビットＰ１またはＰ２を生成するタイミングは、これに限られない。パリティビットＰ１またはＰ２の生成は、手順５または６でリピータ１，２へＡＣＫシグナルを送信した後、手順９，１０でパリティビットＰ１またはＰ２を送信する前までの任意のタイミングで行えばよい。
【００５３】
また、２分割されるデータは、本実施例で取り上げた、システマティックビットとパリティビットに限定されない。例えば、２分割されるデータの関係が、一方がもう一方の冗長ビットであるような関係や、両者が揃うことにより復号できる関係であれば良い。
【００５４】
また、分割されるデータ数は２分割に限らない。さらに、リソースは時間でも周波数でも構わない。時間の場合は、各々に割り当てられたデータの送信タイミングを共有することになり、周波数の場合は、各々に割り当てられたデータの送信周波数を共有することになる。
【００５５】
次に、リピータと基地局のブロック図の説明をする。図３は、リピータのブロック図である。ここでは、リピータ１について、１ブロックのデータを協調中継にて送信完了するまでの動作を詳しく説明する。また、以降、２分割した１ブロックのデータを最初にｅＮＢへ送信するタイミングを１ｓｔフレーム、次にｅＮＢへ送信するタイミングを２ｎｄフレームと呼ぶことにする。
【００５６】
《データ交換時のリピータ１のＳ１送信動作》
タイマー２７は、データ交換時であるか、通常送信時であるかを示す信号を出力する。送信電力制御部２６は、タイマー２７の出力によって、データ交換時は送信電力を弱めるように制御する。制御情報は、送信ＲＦ部１９へ出力される。
【００５７】
まず、リピータ１は、自局送信データを“初回送信データ”と“パリティ送信データ”に分けて、送信データメモリ２２の“リピータ１の初回送信データ（Ｓ１）格納メモリ”と“リピータ１のパリティ送信データ（Ｐ１）格納メモリ”に保持しておく。そして、リピータ１は、初回送信データを送信データメモリ２２から読みだし、バッファ部２１に蓄積した後、Ｄ／Ａ変換部２０にてＤ／Ａ変換し、送信ＲＦ部１９で送信電力制御部２６からの制御情報に基づいて、ＲＦ帯域の信号までアップコンバートし、送信アンテナ１１から送信する。
【００５８】
《データ交換時のリピータ１のＳ２受信動作》
続いて、受信ＲＦ部１２は、リピータ２からの初回送信信号（Ｓ２）をアンテナ１１を介して受信する。受信した信号は、受信ＲＦ部１２でベースバンド帯域までダウンコンバートされて、Ａ／Ｄ変換部１３に入力される。Ａ／Ｄ変換部１３に入力された信号は、デジタル信号に変換された後、バッファ部１４に蓄積される。バッファ部１４に蓄積された信号は、復調部１５及びチャネルデコード部１６で復調及びチャネルデコード処理され、受信データメモリ１７の“Ｓ２デコードデータ格納メモリ”に保持される。また、ＡＣＫ／ＮＡＣＫシグナル生成部１８は、チャネルデコード部１６からのＳ２のチャネルデコード結果（ＣＲＣ等）に応じて、受信成功ならばＡＣＫシグナルを、受信失敗ならＮＡＣＫシグナルを生成する。そして、生成されたＡＣＫ／ＮＡＣＫシグナルは、チャネルエンコード部２４及び変調部２３でチャネルエンコード処理及び変調処理され、送信データメモリ２２の“リピータ１のＡＣＫ／ＮＡＣＫ格納メモリ”に保持される。また、Ｓ２の受信成功時（ＡＣＫシグナル生成時）には、受信データメモリ１７の“Ｓ２デコードデータ格納メモリ”に保持されているＳ２デコードデータが読み出され、チャネルエンコード部２４及び変調部２３にて、Ｓ２デコードデータからパリティビットＰ２が生成され、送信データメモリ２２の“リピータ２のパリティ送信データ（Ｐ２）格納メモリ”に保持される。
【００５９】
《データ交換時のリピータ１のＡＣＫ／ＮＡＣＫシグナル受信動作》
続いて、受信ＲＦ部１２は、アンテナ１１を介してリピータ２からのＡＣＫ／ＮＡＣＫシグナルを受信する。受信した信号は、受信ＲＦ部１２でベースバンド帯域までダウンコンバートされて、Ａ／Ｄ変換部１３に入力される。Ａ／Ｄ変換部１３に入力された信号は、デジタル信号に変換されて、バッファ部１４に蓄積される。バッファ部１４に蓄積された信号は、復調部１５及びチャネルデコード部１６で復調及びチャネルデコード処理され、受信データメモリ１７の“リピータ２のＡＣＫ／ＮＡＣＫ格納メモリ”に保持される。
【００６０】
《データ交換時のリピータ１のＡＣＫ／ＮＡＣＫシグナル送信動作》
リピータ１のＡＣＫ／ＮＡＣＫシグナルが、送信データメモリ２２の“リピータ１のＡＣＫ／ＮＡＣＫ格納メモリ”から読みだされ、バッファ部２１に蓄積される。バッファ部２１に蓄積された信号は、Ｄ／Ａ変換部２０にてＤ／Ａ変換され、送信ＲＦ部１９でＲＦ帯域の信号までアップコンバートされ、送信アンテナ１１から送信される。
【００６１】
《送信モードの生成動作》
（１）受信データメモリ１７の“リピータ２のＡＣＫ／ＮＡＣＫ格納メモリ”が“ＡＣＫ”であり、送信データメモリ２２の“リピータ１のＡＣＫ／ＮＡＣＫ格納メモリ”が“ＡＣＫ”である場合について、送信モード生成部２８の動作を説明する。
【００６２】
送信モード生成部２８は、１ｓｔフレームでＳ１、２ｎｄフレームでＰ２を自リソースを使って送信する制御信号を生成し、送信データメモリ２２とリソース制御部２５に出力する。なお、送信モード生成部２８から送信データメモリ２２へは、データのアドレスを示す情報が通知され、送信モード生成部２８からリソース制御部２５へは、使用する周波数（タイムスロット）を示す情報（使用リソース情報）が通知される。
【００６３】
（２）受信データメモリ１７の“リピータ２のＡＣＫ／ＮＡＣＫ格納メモリ”が“ＮＡＣＫ”であり、送信データメモリ２２の“リピータ１のＡＣＫ／ＮＡＣＫ格納メモリ”が“ＡＣＫ”である場合について、送信モード生成部２８の動作を説明する。
【００６４】
送信モード生成部２８は、１ｓｔフレームでＳ１を自リソースを使って、２ｎｄフレームでＰ１を相手（リピータ２の）リソースを使って、さらに続いてＰ２を自リソースを使って送信する制御信号を生成し、送信データメモリ２２とリソース制御部２５に出力する。
【００６５】
（３）受信データメモリ１７の“リピータ２のＡＣＫ／ＮＡＣＫ格納メモリ”が“ＡＣＫ”であり、送信データメモリ２２の“リピータ１のＡＣＫ／ＮＡＣＫ格納メモリ”が“ＮＡＣＫ”である場合について、送信モード生成部２８の動作を説明する。
【００６６】
送信モード生成部２８は、１ｓｔフレームでＳ１を自リソースを使って送信した後は、１ブロックの送信データの協調中継が完了するまでの間は送信をやめる制御信号を生成し、送信データメモリ２２とリソース制御部２５に出力する。
【００６７】
（４）受信データメモリ１７の“リピータ２のＡＣＫ／ＮＡＣＫ格納メモリ”が“ＮＡＣＫ”であり、送信データメモリ２２の“リピータ１のＡＣＫ／ＮＡＣＫ格納メモリ”が“ＮＡＣＫ”である場合について、送信モード生成部２８の動作を説明する。
【００６８】
送信モード生成部２８は、１ｓｔフレームでＳ１を自リソースを使って、２ｎｄフレームでＰ１を相手（リピータ２の）リソースを使って送信する制御信号を生成し、送信データメモリ２２とリソース制御部２５に出力する。
【００６９】
《ｅＮＢへのリピータ１の送信動作》
通常送信時は、タイマー２７の出力によって、送信電力制御部２６は、送信電力を通常の値にセットするように制御する。制御信号は、送信ＲＦ部１９へ出力される。
【００７０】
リピータ１は、送信モード生成部２８にて生成された制御信号にもとづき、送信データメモリ２２から送信データを読み出し、バッファ部２１に蓄積した後、Ｄ／Ａ変換部２０にてＤ／Ａ変換し、送信ＲＦ部１９でＲＦ帯域の信号までアップコンバートし、送信アンテナ１１から送信する。
【００７１】
なお、本実施例においては、リピータ間のデータ交換を通常の無線通信リソースを使って実現する場合について説明したが、これ以外に、有線で接続する、赤外線通信で接続する等の場合であっても同様に実現できる。
【００７２】
図４は、基地局のブロック図を示す。基地局は、アンテナ３１を介して受信ＲＦ部３２で信号を受信する。受信された信号は、受信ＲＦ部３２でベースバンド帯域までダウンコンバートされて、Ａ／Ｄ変換部３３に入力される。Ａ／Ｄ変換部３３に入力された信号は、デジタル信号に変換され、バッファ部３４に入力される。バッファ部３４に所定のデータ量（リピータ１用のリソースからの２回に分けて送られてきたデータ及びリピータ２用のリソースからの２回に分けて送られてきたデータ）が蓄積されると、復調部３５及びチャネルデコード部３６は、リピータ１のデータ（Ｓ１とＰ１）およびリピータ２のデータ（Ｓ２とＰ２）を復調、チャネルデコードする。
【００７３】
（効果）
データ交換の際に、リピータの一方が受信失敗してしまった場合でも、ｅＮＢにおいて、受信データの偏りなく、協調中継によるダイバーシチ効果を得ることが出来る。
【００７４】
《実施例２》
実施例１では、ＡＣＫ／ＮＡＣＫシグナルを用いた場合について説明したが、実施例２では、ＡＣＫ／ＮＡＣＫシグナルを削減して本発明を実施する例を示す。
図５に、実施例２のシーケンス図を示し、図６に、図５に対応する実施例２のフローチャートを示す。また、以降、２分割した１ブロックのデータを最初にｅＮＢへ送信するタイミングを１ｓｔフレーム、次にｅＮＢへ送信するタイミングを２ｎｄフレームと呼ぶことにする。また、図５に示す、括弧付き数字（１）〜（１２）は、それぞれ、以下に説明する手順１〜１２に対応する。手順２，１０など、図示しないものもある。なお、図５に示すように、Ｃａｓｅ１は、リピータ１、リピータ２ともに受信成功、Ｃａｓｅ２は、リピータ１は受信成功、リピータ２は受信失敗、Ｃａｓｅ３は、リピータ１は受信失敗、リピータ２は受信成功、Ｃａｓｅ４は、リピータ１、リピータ２ともに受信失敗の場合を示す。また、図５のシーケンス図において、矢印はデータの送信方向を表わし、Ｒ１Ｒ１はリピータ１のリソースでリピータ１のデータを送信する場合を示し、Ｒ２Ｒ２はリピータ２のリソースでリピータ２のデータを送信する場合を示す。また、図６において、特に断りのない限り、使用リソースは自リソースを使用とする。
【００７５】
《実施例−前段−》
手順１：ｅＮＢは、協調中継を行うリピータに対しリソース割り当てを行う。このリソースは、協調中継を行う各リピータ間で共有可能とする。
手順２：各リピータは、協調中継したい自局の１ブロックのデータを２分割する。本実施例では、システマティックビットを含む初回送信データ（Ｓｘと表記）とパリティビットを含む送信データ（Ｐｘと表記）に２分割した場合を説明する（ｘはリピータ番号に対応）。
手順３：リピータ１は、自局の初回送信データＳ１（Ｄａｔａ１）をリピータ２へ自リソースで送信する。
手順４：リピータ２は、自局の初回送信データＳ２（Ｄａｔａ２）をリピータ１へ自リソースで送信する。
【００７６】
《実施例−メイン−》
データ交換に成功したリピータは、１ｓｔフレームで相手局の初回送信データ（Ｓｘ）を送信し、データ交換に失敗したリピータは、１ｓｔフレームで自局のパリティビットを含む送信データ（Ｐｘ）を送信する。
【００７７】
（Ｃａｓｅ１：リピータ１、リピータ２ともに受信成功）
手順５：リピータ２は、受信したＳ１からパリティビットＰ１を生成する。
手順６：リピータ１は、受信したＳ２からパリティビットＰ２を生成する。
手順７：リピータ２は、Ｓ１を自リソースでｅＮＢへ送信する。
手順８：リピータ１は、手順７でリピータ２が送信したデータを受信し、自局が持つＳ１との相関結果から、リピータ２のデータ交換の成否を判断する。すなわち、リピータ１は、相関が高い場合にはリピータ２がＳ１を送信したと判断できるため、リピータ２がＳ１の受信に成功（データ交換成功）したと判断する。
手順９：リピータ１は、Ｓ２を自リソースでｅＮＢへ送信する。
手順１０：リピータ２は、リピータ１が送信したデータを受信、自局が持つＳ２との相関結果から、リピータ１のデータ交換の成否を判断する。例えば、リピータ２は、相関が高い場合にはリピータ１がＳ２を送信したと判断できるため、リピータ１がＳ２の受信に成功（データ交換成功）したと判断できる。
続いて、
手順１１：リピータ２は、生成したＰ２を自リソースでｅＮＢへ送信する。
手順１２：リピータ１は、生成したＰ１を自リソースでｅＮＢへ送信する。
【００７８】
（Ｃａｓｅ２：リピータ１は受信成功、リピータ２は受信失敗）
手順５：リピータ１は、受信したＳ２からパリティビットＰ２を生成する。
手順６：リピータ２は、Ｐ２を自リソースでｅＮＢへ送信する。
手順７：リピータ１は、手順６でリピータ２が送信したデータを受信し、自局が持つＳ１との相関結果から、リピータ２のデータ交換の成否を判断する。すなわち、リピータ１は、相関が低い場合にはリピータ２がＰ２を送信したと判断できるため、リピータ２がＳ１の受信に失敗（データ交換失敗）したと判断し、次のタイミングでリピータ２のリソースを使用可能、と判断する。
手順８：リピータ１は、Ｓ２を自リソースでｅＮＢへ送信する。
手順９：リピータ２は、手順８でリピータ１が送信したデータを受信し、自局が持つＳ２との相関結果から、リピータ１のデータ交換の成否を判断する。すなわち、リピータ２は、相関が高い場合にはリピータ１がＳ２を送信したと判断できるため、リピータ１がＳ２の受信に成功（データ交換成功）したと判断する。
手順１０：データ交換に失敗（Ｓ１の受信に失敗）したリピータ２は、Ｐ２を自リソースでｅＮＢへ送信した後（すなわち、手順６の後）、自リソースをリピータ１に開放する。
続いて、
手順１１：リピータ１は、リピータ２のリソースを使ってＰ１をｅＮＢへ送信する。
手順１２：さらに、リピータ１は、自リソースを使って、Ｓ１をｅＮＢへ送信する。
【００７９】
（Ｃａｓｅ３：リピータ１は受信失敗、リピータ２は受信成功）
手順５：リピータ２は、受信したＳ１からパリティビットＰ１を生成する。
手順６：リピータ２は、Ｓ１を自リソースでｅＮＢへ送信する。
手順７：リピータ１は、手順６でリピータ２が送信したデータを受信し、自局が持つＳ１との相関結果から、リピータ２のデータ交換の成否を判断する。すなわち、相関が高い場合はリピータ２がＳ１を送信したと判断できるため、リピータ２がＳ１の受信に成功（データ交換成功）したと判断する。
手順８：リピータ１は、Ｐ１を自リソースでｅＮＢへ送信する。
手順９：リピータ２は、手順８でリピータ１が送信したデータを受信し、自局が持つＳ２との相関結果から、リピータ１のデータ交換の成否を判断する。すなわち、相関が低い場合はリピータ１がＰ１を送信したと判断できるため、リピータ１がＳ２の受信に失敗（データ交換失敗）したと判断し、次のタイミングでリピータ１のリソースを使用可能、と判断する。
手順１０：データ交換に失敗（Ｓ２の受信に失敗）したリピータ１は、Ｐ１を自リソースでｅＮＢへ送信した後（すなわち、手順８の後）、自リソースをリピータ２に開放する。
続いて、
手順１１：リピータ２は、自リソースを使ってＳ２をｅＮＢへ送信する。
手順１２：さらに、リピータ２は、リピータ１のリソースを使って、Ｐ２をｅＮＢへ送信する。
【００８０】
（Ｃａｓｅ４：リピータ１、リピータ２ともに受信失敗）
手順５：リピータ２は、Ｐ２を自リソースでｅＮＢへ送信する。
手順６：リピータ１は、手順５でリピータ２が送信したデータを受信し、自局が持つＳ１との相関結果から、リピータ２のデータ交換の成否を判断する。すなわち、相関が低い場合は、リピータ２がＰ２を送信したと判断できるため、リピータ２がＳ１の受信に失敗（データ交換失敗）したと判断し、次のタイミングでリピータ２のリソースを使用可能、と判断する。
手順７：リピータ１は、Ｐ１を自リソースでｅＮＢへ送信する。
手順８：リピータ２は、手順７でリピータ１が送信したデータを受信し、自局が持つＳ２との相関結果から、リピータ１のデータ交換の成否を判断する。すなわち、相関が低い場合は、リピータ１がＰ１を送信したと判断できるため、リピータ１がＳ２の受信に失敗（データ交換失敗）したと判断し、次のタイミングでリピータ１のリソースを使用可能と判断する。
手順９：データ交換に失敗（Ｓ２の受信に失敗）したリピータ１は、Ｐ１を自リソースでｅＮＢへ送信した後（すなわち、手順７の後）、自リソースをリピータ２に開放する。
手順１０：同様に、データ交換に失敗（Ｓ１の受信に失敗）したリピータ２は、Ｐ２を自リソースでｅＮＢへ送信した後（すなわち、手順５の後）、自リソースをリピータ１に開放する。
続いて、
手順１１：リピータ２は、リピータ１のリソースを使ってＳ２をｅＮＢへ送信する。
手順１２：リピータ１は、リピータ２のリソースを使って、Ｓ１をｅＮＢへ送信する。
【００８１】
《実施例−後段−》
手順１３：ｅＮＢは、受信データを復号する。
【００８２】
《実施例の効果》
データ交換の際に、リピータの一方が受信に失敗してしまった場合でも、ｅＮＢにおいて、受信データの偏りなく、協調中継によるダイバーシチ効果を得ることが出来、さらに、ＡＣＫ／ＮＡＣＫシグナリングを削減できる。
【００８３】
なお、受信したＳ１またはＳ２からパリティビットＰ１またはＰ２を生成する処理は、Ｓ１またはＳ２を受信後、当該パリティビットＰ１またはＰ２を送信する前までの任意のタイミングで行えばよい。また、手順３と手順４等の順序を入れ替えてもよい。
【００８４】
また、２分割されるデータは実施例で取り上げた、システマティックビットとパリティビットに限定されない。例えば、２分割されるデータの関係が、一方が、もう一方の冗長ビットであるような関係や両者が揃って復号できる関係であれば良い。
【００８５】
また、分割されるデータ数は２分割に限らない。さらに、リソースは時間でも周波数でも構わない。時間の場合は、各々に割り当てられたデータの送信タイミングを共有することになり、周波数の場合は、各々に割り当てられたデータの送信周波数を共有することになる。
【００８６】
また、本実施例では、データ受信に失敗した場合に、先にパリティビットを含む送信データを送る例を示したが、これに限らず、例えば、システマティックビットを含む送信データを時間逆順に送る等でも構わない。（こうした場合は、次に送るデータが実施例とは異なってくる。）
【００８７】
次に、リピータと基地局のブロック図の説明をする。図７は、リピータのブロック図である。ここでは、リピータ１について、１ブロックのデータを協調中継にて送信完了するまでの動作を詳しく説明する。
【００８８】
《データ交換時のリピータ１のＳ１送信動作》
送信電力制御部２６は、タイマー２７の出力によって、データ交換時は送信電力を弱めるように制御する。制御情報は、送信ＲＦ部１９へ出力される。
【００８９】
まず、リピータ１は、自局送信データを“初回送信データ”と“パリティ送信データ”に分けて、送信データメモリ２２の“リピータ１の初回送信データ（Ｓ１）格納メモリ”と“リピータ１のパリティ送信データ（Ｐ１）格納メモリ”に保持しておく。そして、リピータ１は、初回送信データを送信データメモリ２２から読みだし、バッファ部２１に蓄積した後、Ｄ／Ａ変換部２０にてＤ／Ａ変換し、送信ＲＦ部１９で送信電力制御部２６からの制御情報に基づいて、ＲＦ帯域の信号までアップコンバートし、送信アンテナ１１から送信する。
【００９０】
《データ交換時のリピータ１のＳ２受信動作》
続いて、受信ＲＦ部１２は、リピータ２からの初回送信信号（Ｓ２）をアンテナ１１を介して受信する。受信した信号は、受信ＲＦ部１２でベースバンド帯域までダウンコンバートされて、Ａ／Ｄ変換部１３に入力される。Ａ／Ｄ変換部１３に入力された信号は、デジタル信号に変換された後、バッファ部１４に蓄積される。バッファ部１４に蓄積された信号は、復調部１５及びチャネルデコード部１６で復調及びチャネルデコード処理され、受信データメモリ１７の“Ｓ２デコードデータ格納メモリ”に保持される。また、その受信成否（ＣＲＣ結果等）は、受信データメモリ１７の“リピータ１におけるＳ２の受信成否格納メモリ”に保持される。また、Ｓ２の受信成功時には、受信データメモリ１７の“Ｓ２デコードデータ格納メモリ”に保持されているＳ２デコードデータが読み出され、チャネルエンコード部２４及び変調部２３にて、Ｓ２デコードデータからシステマティックビットを含む初回送信データＳ２とパリティビットＰ２の送信データが生成され、各々、送信データメモリ２２の“リピータ２の初回送信データ（Ｓ２）格納メモリ”と“リピータ２のパリティ送信データ（Ｐ２）格納メモリ”に保持される。
【００９１】
《１ｓｔフレームにおけるリピータ１の送信モードの生成動作》
（１）受信データメモリ１７の“リピータ１におけるＳ２の受信成否格納メモリ”が“受信成功”を示している場合について、送信モード生成部２８の動作を説明する。
【００９２】
送信モード生成部２８は、１ｓｔフレームで送信データメモリ２２の“リピータ２の初回送信データ（Ｓ２）格納メモリ”から、Ｓ２を自リソースを使って送信する制御信号を生成し、送信データメモリ２２とリソース制御部２５に出力する。
【００９３】
（２）受信データメモリ１７の“リピータ１におけるＳ２の受信成否格納メモリ”が“受信失敗”を示している場合について、送信モード生成部２８の動作を説明する。
【００９４】
送信モード生成部２８は、１ｓｔフレームで送信データメモリ２２の“リピータ１のパリティ送信データ（Ｐ１）格納メモリ”から、Ｐ１を自リソースを使って送信した後は、１ブロックの送信データの協調中継が完了するまでの間はリピータ１のリソースでの送信をやめる（＝リピータ１のリソースをリピータ２が使用できるようにする）制御信号を生成し、送信データメモリ２２とリソース制御部２５に出力する。
【００９５】
《ｅＮＢへのリピータ１の１ｓｔフレームにおける送信動作》
送信電力制御部２６は、タイマー２７にて、通常送信時は送信電力を通常の値にセットするように制御する。制御信号は、送信ＲＦ部１９へ出力される。
【００９６】
リピータ１は、送信モード生成部２８にて生成された制御信号にもとづき、送信データメモリ２２から送信データを読み出し、バッファ部２１に蓄積した後、Ｄ／Ａ変換部２０にてＤ／Ａ変換し、送信ＲＦ部１９でＲＦ帯域の信号までアップコンバートし、送信アンテナ１１から送信する。
【００９７】
《１ｓｔフレームにおけるリピータ１のリピータ２送信データの受信動作》
受信ＲＦ部１２は、リピータ２からのｅＮＢ向け初回送信信号を受信する。受信した信号は、受信ＲＦ部１２でベースバンド帯域までダウンコンバートされて、Ａ／Ｄ変換部１３に入力される。Ａ／Ｄ変換部１３に入力された信号は、デジタル信号に変換されて、バッファ部１４に蓄積される。バッファ部１４に蓄積されたデータは、相関演算部５１に出力される。相関演算部５１は、送信データメモリ２２の“リピータ１の初回送信データ（Ｓ１）格納メモリ”に格納されているデータと受信データの自己相関演算を行う。相関演算部５１は、相関が高い場合は、“リピータ２においてＳ１の受信が成功した”と判断し、相関が低い場合は、“リピータ２においてＳ１の受信が失敗した”と判断する。また相関演算部５１は、判断結果を、受信データメモリ１７の“リピータ２におけるＳ１の受信成否推定結果格納メモリ”に保持させる。
【００９８】
《２ｎｄフレームにおけるリピータ１の送信モードの生成動作》
（１）受信データメモリ１７の“リピータ２におけるＳ１の受信成否推定結果格納メモリ”が“受信成功”および“リピータ１における受信成否格納メモリ”が“受信成功”を示している場合について、送信モード生成部２８の動作を説明する。
【００９９】
送信モード生成部２８は、２ｎｄフレームで送信データメモリ２２の“リピータ１のパリティ送信データ（Ｐ１）格納メモリ”から、Ｐ１を自リソースを使って送信する制御信号を生成し、送信データメモリ２２とリソース制御部２５に出力する。
【０１００】
（２）受信データメモリ１７の“リピータ２におけるＳ１の受信成否推定結果格納メモリ”が“受信失敗”  、“リピータ１における受信成否格納メモリ”が“受信成功”を示している場合について、送信モード生成部２８の動作を説明する。
【０１０１】
送信モード生成部２８は、２ｎｄフレームで送信データメモリ２２の“リピータ１のパリティ送信データ（Ｐ１）格納メモリ”から、Ｐ１を相手（リピータ２）リソースを使って送信し、続いて“リピータ１の初回送信データ（Ｓ１）格納メモリ”から、Ｓ１を自リソースを使って送信する制御信号を生成する。生成された制御信号は、送信データメモリ２２とリソース制御部２５に出力される。
【０１０２】
（３）受信データメモリの“リピータ２におけるＳ１の受信成否推定結果格納メモリ”が“受信成功”、“リピータ１における受信成否格納メモリ”が“受信失敗”を示している場合について、送信モード生成部２８の動作を説明する。
【０１０３】
送信モード生成部２８は、１ブロックの送信データの共同中継が完了するまでの間は送信をやめる制御信号を生成する。生成された制御信号は、送信データメモリ２２とリソース制御部２５に出力される。
【０１０４】
（４）受信データメモリの“リピータ２におけるＳ１の受信成否推定結果格納メモリ”及び“リピータ１における受信成否格納メモリ”が“受信失敗”を示している場合について、送信モード生成部２８の動作を説明する。
【０１０５】
送信モード生成部２８は、２ｎｄフレームで送信データメモリ２２の“リピータ１の初回送信データ（Ｓ１）格納メモリ”から、Ｓ１を相手（リピータ２）リソースを使って送信する制御信号を生成する。生成された制御信号は、送信データメモリとリソース制御部２５に出力される。
【０１０６】
《ｅＮＢへのリピータ１の２ｎｄフレームにおける送信動作》
リピータ１は、送信モード生成部２８にて生成された制御信号にもとづき、送信データメモリ２２から送信データを読み出し、バッファ部２１に蓄積した後、Ｄ／Ａ変換部２０にてＤ／Ａ変換され、送信ＲＦ部１９でＲＦ帯域の信号までアップコンバートされ、送信アンテナ１１から送信される。
【０１０７】
なお、本実施例においては、リピータ間のデータ交換を通常の無線通信リソースを使って実現する場合について説明したが、これ以外に、有線で接続する、赤外線通信で接続する等の場合であっても同様に実現できる。
【０１０８】
基地局のブロック図について前述の図４を参照して説明する。基地局は、アンテナ３１を介して受信ＲＦ部３２で信号を受信する。受信された信号は、受信ＲＦ部３２でベースバンド帯域までダウンコンバートされて、Ａ／Ｄ変換部３３に入力される。Ａ／Ｄ変換部３３に入力された信号は、デジタル信号に変換され、バッファ部３４に入力される。バッファ部３４に所定のデータ量（リピータ１用のリソースからの２回に分けて送られてきたデータ及びリピータ２用のリソースからの２回に分けて送られてきたデータ）が蓄積されると、復調部３５及びチャネルデコード部３６は、リピータ１のデータ（Ｓ１とＰ１）およびリピータ２のデータ（Ｓ２とＰ２）を復調、チャネルデコードする。
【０１０９】
（効果）
データ交換の際に、リピータの一方が受信失敗してしまった場合でも、ｅＮＢにおいて、受信データの偏りなく、協調中継によるダイバーシチ効果を得ることが出来、さらに、ＡＣＫ／ＮＡＣＫシグナリングを削減できる。
【０１１０】
《実施例３》
本実施例では、ｅＮＢにおいて受信データ（例えば、図１に示した手順７〜１０で受信したデータ）をリソースで管理することにより、ブラインド判定をすることなく、受信データを復号できる例を示す。
【０１１１】
図８は、ｅＮＢにおける受信データメモリ例を示す。ｅＮＢが受信データをリソースで管理すれば、いずれのＣａｓｅにおいても、一意に、図８のように受信データメモリに保持されるので、リピータからのＡＣＫ／ＮＡＣＫを受信しない場合であっても、ｅＮＢは、ブラインド判定することなく、受信データを復号できる。
【０１１２】
《実施例−前段−》
手順１：ｅＮＢは、協調中継を行うリピータに対し、リピータ間で共有可能なリソース割り当てを行う。ここでは、リピータ１にリソースＡを、リピータ２にリソースＢを割り当てたとする。
【０１１３】
《実施例−メイン−》
（Ｃａｓｅ１：リピータ１、リピータ２ともに受信成功）
手順２：ｅＮＢは１ｓｔ  ｆｒａｍｅで、リソースＡ（リピータ１から）の受信信号はＳ１であると判断する。
手順３：ｅＮＢは１ｓｔ  ｆｒａｍｅで、リソースＢ（リピータ２から）の受信信号はＳ２であると判断する。
続いて、
手順４：ｅＮＢは２ｎｄ  ｆｒａｍｅで、リソースＡ（リピータ１から）の受信信号はＰ２であると判断する。
手順５：ｅＮＢは２ｎｄ  ｆｒａｍｅで、リソースＢ（リピータ２から）の受信信号はＰ１であると判断する。
【０１１４】
（Ｃａｓｅ２：リピータ１は受信成功、リピータ２は受信失敗）
手順２：ｅＮＢは１ｓｔ  ｆｒａｍｅで、リソースＡ（リピータ１から）の受信信号はＳ１であると判断する。
手順３：ｅＮＢは１ｓｔ  ｆｒａｍｅで、リソースＢ（リピータ２から）の受信信号はＳ２であると判断する。
続いて、
手順４：ｅＮＢは２ｎｄ  ｆｒａｍｅで、リソースＡ（リピータ１から）の受信信号はＰ２であると判断する。
手順５：ｅＮＢは２ｎｄ  ｆｒａｍｅで、リソースＢ（リピータ１から）の受信信号はＰ１であると判断する。
【０１１５】
（Ｃａｓｅ３：リピータ１は受信失敗、リピータ２は受信成功）
手順２：ｅＮＢは１ｓｔ  ｆｒａｍｅで、リソースＡ（リピータ１から）の受信信号はＳ１であると判断する。
手順３：ｅＮＢは１ｓｔ  ｆｒａｍｅで、リソースＢ（リピータ２から）の受信信号はＳ２であると判断する。
続いて、
手順４：ｅＮＢは２ｎｄ  ｆｒａｍｅで、リソースＡ（リピータ２から）の受信信号はＰ２であると判断する。
手順５：ｅＮＢは２ｎｄ  ｆｒａｍｅで、リソースＢ（リピータ２から）の受信信号はＰ１であると判断する。
【０１１６】
（Ｃａｓｅ４：リピータ１、リピータ２ともに受信失敗）
手順２：ｅＮＢは１ｓｔ  ｆｒａｍｅで、リソースＡ（リピータ１から）の受信信号はＳ１であると判断する。
手順３：ｅＮＢは１ｓｔ  ｆｒａｍｅで、リソースＢ（リピータ２から）の受信信号はＳ２であると判断する。
続いて、
手順４：ｅＮＢは２ｎｄ  ｆｒａｍｅで、リソースＡ（リピータ２から）の受信信号はＰ２であると判断する。
手順５：ｅＮＢは２ｎｄ  ｆｒａｍｅで、リソースＢ（リピータ１から）の受信信号はＰ１であると判断する。
【０１１７】
《実施例−後段−》
手順６：ｅＮＢは、リソースＡ＠１ｓｔ  ｆｒａｍｅ（Ｓ１）とリソースＢ＠２ｎｄ  ｆｒａｍｅ（Ｐ１）を使ってリピータ１の受信データを復号する。
手順７：ｅＮＢは、リソースＢ＠１ｓｔ  ｆｒａｍｅ（Ｓ２）とリソースＡ＠２ｎｄ  ｆｒａｍｅ（Ｐ２）を使ってリピータ２の受信データを復号する。
【０１１８】
《実施例の効果》
ｅＮＢにおいて受信データをリソースで管理し、データ交換の際に、リピータの一方が受信失敗してしまった場合に、リソースを他のリピータに開放することによって、ｅＮＢにおいて、受信データのブラインド判定を削減することが出来る。
【０１１９】
なお、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２０】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０１２１】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１２２】
本発明を詳細にまた特定の実施態様を参照して説明したが、本発明の精神と範囲を逸脱することなく様々な変更や修正を加えることができることは当業者にとって明らかである。
【０１２３】
本出願は、２００８年３月１２日出願の日本特許出願（特願２００８−０６３１１１）、に基づくものであり、その内容はここに参照として取り込まれる。
【産業上の利用可能性】
【０１２４】
本発明に係る通信装置、基地局、通信システムおよび通信方法は、一方のデータ交換が失敗した場合でも、ｅＮＢにおける受信データに偏りが発生することなく、協調中継によるダイバーシチ効果を得ることができ、通信装置、基地局、通信システムおよび通信方法等として利用可能である。
【符号の説明】
【０１２５】
１１，３１  送信アンテナ
１２，３２  受信ＲＦ部
１３，３３  Ａ／Ｄ変換部
１４，２１，３４，３９  バッファ部
１５，３５  復調部
１６，３６  チャネルデコード部
１７  受信データメモリ
１８  ＡＣＫ／ＮＡＣＫシグナル生成部
１９，３７  送信ＲＦ部
２０，３８  Ｄ／Ａ変換部
２２  送信データメモリ
２３，４０  変調部
２４，４１  チャネルエンコード部
２５  リソース制御部
２６  送信電力制御部
２７  タイマー
２８  送信モード生成部
５１  相関演算部
【図１】
0005557335.tif 000002
【図２】
0005557335.tif 000003
【図３】
0005557335.tif 000004
【図４】
0005557335.tif 000005
【図５】
0005557335.tif 000006
【図６】
0005557335.tif 000007
【図７】
0005557335.tif 000008
【図８】
0005557335.tif 000009
【図９】
0005557335.tif 000010
【図１０】
0005557335.tif 000011
【図１１】
0005557335.tif 000012
【図１２】
0005557335.tif 000013
【図１３】
0005557335.tif 000014